(57)【要約】      （修正有）【課題】被捕獲動物が檻内に侵入した際、踏板の両側を踏んでも仕掛けが作動する捕獲檻の踏板装置を提供する。【解決手段】捕獲檻内に、被捕獲動物が侵入し、捕獲檻Ｘ本体内にセットされた踏板１を踏むことにより、仕掛け２が作動して開閉扉Ｙ，Ｙ′が閉塞されるよう構成された捕獲檻Ｘの踏板１において、長尺状の板材である踏板１と、踏板の底面であって、長手方向の全長に対し、半分の位置、あるいは半分以外の範囲位置Ｚに、踏板１をシーソー状に形成する踏板支え軸１ａと、踏板１のいずれか一方の踏板、あるいは面積の広い踏板１ｂ側に、一端部を固定するレバー連結部材３と、レバー連結部材３の他端部を、係止する仕掛け２のレバーからなることを特徴とする捕獲檻における踏板装置から構成される。【選択図】図３
0003203801.tif 000002
【実用新案登録請求の範囲】
【請求項１】
捕獲檻内に、被捕獲動物が侵入し、捕獲檻（Ｘ）本体内にセットされた踏板（１）を踏むことにより、仕掛け（２）が作動して開閉扉（Ｙ，Ｙ′）が閉塞されるよう構成された捕獲檻（Ｘ）の踏板（１）において、
長尺状の板材である前記踏板（１）と、
前記踏板の底面であって、長手方向の全長に対し、半分の位置、あるいは半分以外の範囲位置（Ｚ）に、前記踏板（１）をシーソー状に形成する踏板支え軸（１ａ）と、
前記踏板（１）のいずれか一方の踏板、あるいは面積の広い踏板（１ｂ）側に、一端部を固定するレバー連結部材（３）と、
前記レバー連結部材（３）の他端部を、係止する仕掛け（２）のレバー（２ｂ）からなる
ことを特徴とする捕獲檻における踏板装置。
【請求項２】
前記踏板支え軸（１ａ）は、前記踏板（１）の長手方向の全長に対して、５対５から８対２の範囲内に設ける
ことを特徴とする請求項１記載の捕獲檻における踏板装置。
【考案の詳細な説明】
【技術分野】
【０００１】
この考案は、捕獲檻の踏板装置に関するものである。
【０００２】
近年、気候の変化や土地開発の煽りを受けて、被捕獲動物である猪等の野性動物の餌がなくなり住宅地や田畑等に侵入し農作物を食い荒らすことによる被害が増大しており、以前より種々の捕獲檻が開発され、そして販売されている。
【０００３】
しかし、農作物の被害は、猪だけではなく、猿、鹿等による被害も増大しており、その対策として仕掛けを有する捕獲檻が公開されている。例えば、特許文献１のように。
【先行技術文献】
【特許文献】
【０００４】
【特許文献１】実用新案登録第３０６８８４６号公報
【０００５】
しかし、この装置は、本願出願人が所有する捕獲檻であり、檻本体内に蹴り糸を配置した仕掛け設け、檻本体内に侵入した被捕獲動物が蹴り糸に触れることによって、開閉扉が閉塞されるよう構成されたものであり、踏板を踏む構成のものではなかった。
【０００６】
また、踏板を仕掛けに使用するものは、多々存在するが、踏板の一端部を踏めば作動するが、他端部を踏んでも作動せず、開閉扉が閉じることができず、檻内に侵入してた被捕獲動物をみすみす逃してしまう場合があった。
【考案の概要】
【考案が解決しようとする課題】
【０００７】
そこで、この考案が解決しようとする課題は、被捕獲動物が檻内に侵入した際、踏板の両側を踏んでも仕掛けが作動する捕獲檻の踏板装置を開発・提供することにある。
【課題を解決するための手段】
【０００８】
この考案の捕獲檻のにおける踏板装置は、
捕獲檻内に、被捕獲動物が侵入し、捕獲檻本体内にセットされた踏板を踏むことにより、仕掛けが作動して開閉扉が閉塞されるよう構成された捕獲檻の踏板において、
長尺状の板材である前記踏板と、
前記踏板の底面であって、長手方向の全長に対し、半分の位置、あるいは半分以外の位置に、前記踏板をシーソー状に形成する踏板支え軸と、
前記踏板のいずれか一方の踏板、あるいは面積の広い踏板側に、一端部を固定するレバー連結部材と、
前記レバー連結部材の他端部を、係止する仕掛けのレバーからなる
ことを特徴とする。
【０００９】
そして、
前記踏板支え軸は、前記踏板の長手方向の全長に対して、５対５から８対２の範囲内に設ける
ことを特徴とする
【考案の効果】
【００１０】
この考案によると、捕獲檻（Ｘ）内に、シーソー状の踏板をセットすることにより、被捕獲動物が、檻内に侵入し、前記踏板を踏むと、踏板（１）に一端を固定し、後端を仕掛け（２）のレバー（２ｂ）に連結したレバー連結部材（３）作動すると、開閉扉の連結部材（４）がはずれ、開閉扉（Ｙ）（Ｙ′）が落下して被捕獲動物を確実に捕獲できる等の効果を奏する。
【００１１】
さらに、この考案によると、捕獲檻（Ｘ）内に、シーソー状の踏板（１）をセットし、被捕獲動物が、檻内に侵入し、前記踏板のいずれか一方、あるいは広い踏板（１ｂ）、狭い踏板（１ｂ′）の方を踏んでも、仕掛け（２）が確実に作動し、被捕獲動物を確実に捕獲できる等の効果を奏する。
【図面の簡単な説明】
【００１２】
【図１】この考案に使用する踏板の一実施例を示す斜視図である。
【図２】この考案に使用する仕掛けの一実施例を示す斜視図である。
【図３】この考案の全体図を示す一部欠截斜視図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
先ず、この考案の一実施例を図面に基づいて詳述すると、捕獲檻内に、被捕獲動物が侵入し、捕獲檻（Ｘ）本体内にセットされた踏板（１）を踏むことにより、仕掛け（２）が作動して開閉扉（Ｙ，Ｙ′）が閉塞されるよう構成された捕獲檻（Ｘ）の踏板（１）において、長尺状の板材である前記踏板（１）と、前記踏板の底面であって、長手方向の全長に対し半分、あるいは半分以外の位置（Ｚ）に、前記踏板（１）をシーソー状に形成する踏板支え軸（１ａ）と、前記踏板（１）のいずれか一方の踏板、あるいは面積の広い踏板（１ｂ）側に一端部を固定するレバー連結部材（３）と、
前記レバー連結部材（３）の他端部を固定する仕掛け（２）のレバー（２ｂ）からなることを特徴とする捕獲檻における踏板装置から構成されるものである。
【００１５】
なお、図１に示した踏板（１）は、踏板を踏み込んだ状態の斜視図であり、クリアランスを設けるための側枠に踏板支え軸（１ａ）が設けられており、前記踏板支え軸（１ａ）は、前記踏板（１）の長手方向の全長に対して、５対５から８対２の範囲内に設けることを特徴とする捕獲檻における踏板装置である。
【００１６】
なお、前記開閉扉（Ｙ）は、図３において２箇所設けたものを提示したが、１箇所あるいは３箇所以上設けたものであってもよい。
【００１７】
また、前記仕掛け（２）は、図３に示すように捕獲檻（Ｘ）本体の格子状の上面部にボルトとナットで設けられており、前記仕掛け（２）の構造を、図２に基づいて詳述すると、断面がコ字状の枠体（２ａ）を設け、前記枠体（２ａ）に跨座し、回動可能に設けた係合回転部材（２ｃ）と、前記係合回転部材（２ｃ）の軸芯より放射状方向に突出する係止突起（２ｄ）が設けられ、前記係止突起とは異なった角度（例えば、９０°の角度で異なって設ける。）で放射状方向に突出した係止杆（２ｅ）が設けられている。
【００１８】
そして、前記移動杆（２ｆ）は、前記枠体（２ａ）の両側にそれぞれ形成した、傾斜溝（２ｈ）（２ｈ′）内に移動可能に設けられている。そして、前記係合回転部材（２ｃ）と平行に設けた係止杆（２ｅ）の下に位置されており、前記係止杆（２ｅ）には、それぞれ開閉扉（Ｙ，Ｙ′）に連結した開閉扉の連結部材（４，４）の他端が輪状に形成されて係止されている。
【００１９】
さらに、前記枠体（２ａ）の片面に枢支されたレバー（２ｂ）には、上端に、踏板（１ｂ）から延びたレバー牽引部材（３）の他端部と連結されている。なお、前記レバー連結部材（３）や、前記開閉扉の連結部材（４）は、主としてワイヤーであるが、他の素材であってもこれら部材（３）（４）の目的を達成できる部材であれば特に限定はしない。
【００２０】
また，枠体（２ａ）の両側に形成された傾斜溝（２ｈ）（２ｈ′）内に、移動可能に設けらた前記移動杆（２ｆ）は、前記係止杆（２ｅ）の下部に位置されることにより、前記係止突起（２ｄ）の回転を阻止され、仕掛け（２）がセットされるものである。
【００２１】
そして、前記移動杆（２ｆ）の一端部にはスプリング（２ｇ）で付勢された前記レバー（２ｂ）と接触している。そして、前記レバー（２ｂ）の上端には踏板（１）と連動するレバー連結部材（３）が設けられている。
【００２２】
また、被捕獲動物が、踏板（１）のうち、狭い踏板（１ｂ′）を踏んだ際には、仕掛け（２）は作動しないが、前記狭い踏板（１ｂ′）から脚を離した瞬間に、踏板のうち、広い幅の踏板（１ｂ）側に荷重がかかり、仕掛けが作動して捕獲檻（Ｘ）の開閉扉（Ｙ）は、閉塞されるものである。
【産業上の利用可能性】
【００２３】
この考案の捕獲檻における踏板装置の技術を確立し、実施することにより、産業上利用できるものである。
【符号の説明】
【００２４】
１  踏板
１ａ  踏板支え軸
１ｂ  広い踏板
１ｂ′狭い踏板
２  仕掛け
２ａ  枠体
２ｂ  レバー
２ｃ  係合回転部材
２ｄ  係止突起
２ｅ  係止杆
２ｆ  移動杆
２ｇ  スプリング
２ｈ，２ｈ′傾斜溝
３  レバー連結部材
４  開閉扉の連結部材
Ｘ  捕獲檻
Ｙ，Ｙ′開閉扉
Ｚ  位置
【図１】
0003203801.tif 000003
【図２】
0003203801.tif 000004
【図３】
0003203801.tif 000005